(57)【要約】【課題】  筒内直接噴射式エンジンにおいて、成層燃焼運転を行うことのできる負荷条件範囲を拡大する。【解決手段】  筒内直接噴射式エンジンにおいて、燃料噴射弁から噴射されてキャビティへ向かう燃料噴霧が点火プラグ近傍を通過し、キャビティで反射して上昇する燃料噴霧が点火プラグ近傍を通過するように、前記燃料噴射弁と前記点火プラグとの配設位置及び角度、前記キャビティの大きさ及び形状、前記燃料噴射弁の燃料噴射形状及び燃料噴射時期を設定する。【選択図】図１
2005256791.tif 000002
【特許請求の範囲】
【請求項１】
シリンダヘッドとシリンダブロックとピストンとによって画成される燃焼室と、
前記燃焼室内に燃料を噴射する燃料噴射弁と、
前記燃料に点火する点火プラグと、
前記燃料噴射弁から噴射された燃料噴霧を反射させるようにピストン冠面に設けられたキャビティと、
を有する筒内直接噴射式エンジンにおいて、
前記燃料噴射弁から噴射されて前記キャビティへ向かう燃料噴霧が前記点火プラグ近傍を通過し、かつ前記キャビティに衝突して反射した燃料噴霧が前記点火プラグ近傍へ到達するように、前記燃料噴射弁と前記点火プラグの配設位置、前記キャビティの大きさ及び形状、前記燃料噴射弁の燃料噴射形状及び燃料噴射時期を設定した、
ことを特徴とする筒内直接噴射式エンジン。
【請求項２】
前記燃料噴射弁を前記燃焼室の上部中央に配設し、
前記キャビティを前記ピストンの冠面に円筒状に凹設し、
前記キャビティの底面を底面に垂直に上方へ延長して形成される領域内又はその近傍に前記点火プラグを配設した、
ことを特徴とする請求項１に記載の筒内直接噴射式エンジン。
【請求項３】
前記燃料噴射弁を前記燃焼室の上部中央に配設し、
前記キャビティを前記ピストンの冠面に円筒状に凹設し、
前記キャビティの底面を底面に垂直に上方へ延長して形成される領域の外周部近傍に前記点火プラグを配設した、
ことを特徴とする請求項１に記載の筒内直接噴射式エンジン。
【請求項４】
前記燃料噴射弁は中空円錐状に燃料を噴射することを特徴とする請求項１から請求項３までのいずれか１項に記載の筒内直接噴射式エンジン。
【請求項５】
前記燃料噴射弁は、先端に複数の噴孔を持つ多噴孔式燃料噴射弁であり、
前記点火プラグを、前記多噴孔式燃料噴射弁の各噴口の中心軸の延長線によって形成される円錐状の包絡面近傍に配設した、
ことを特徴とする請求項４に記載の筒内直接噴射式エンジン。
【請求項６】
前記燃料噴射弁は、燃料をエンジンの圧縮行程中に噴射する、
ことを特徴とする請求項１から請求項５までのいずれか１項に記載の筒内直接噴射式エンジン。
【請求項７】
前記点火プラグは、前記キャビティの内面に衝突して反射した燃料噴霧の先端が前記点火プラグの近傍に到達した後に点火する、
ことを特徴とする請求項１から請求項６までのいずれか１項に記載の筒内直接噴射式エンジン。
【請求項８】
前記点火プラグは、前記燃料噴射弁から噴射されて前記キャビティへ向かう燃料噴霧の末端が前記点火プラグの近傍を通過した後に点火する、
ことを特徴とする請求項７に記載の筒内直接噴射式エンジン。
【請求項９】
前記点火プラグは、前記燃料噴射弁から噴射されて前記キャビティへ向かう燃料噴霧の末端が前記点火プラグの近傍を通過する前に点火する、
ことを特徴とする請求項７に記載の筒内直接噴射式エンジン。
【請求項１０】
前記点火プラグは、前記燃料噴射弁から噴射されて前記キャビティへ向かう燃料噴霧の先端が前記点火プラグの近傍に到達した後に点火する、
ことを特徴とする請求項１から請求項６までのいずれか１項に記載の筒内直接噴射式エンジン。
【請求項１１】
前記点火プラグは、前記燃料噴射弁から噴射されて前記キャビティへ向かう燃料噴霧の末端が前記点火プラグの近傍を通過する前に点火する、
ことを特徴とする請求項１０に記載の筒内直接噴射式エンジン。
【請求項１２】
前記点火プラグは、前記キャビティの内面に衝突して反射した燃料噴霧の先端が前記点火プラグの近傍に到達する前に点火する、
ことを特徴とする請求項１１に記載の筒内直接噴射式エンジン。
【請求項１３】
前記点火プラグは、前記燃料噴射弁から噴射されて前記キャビティへ向かう燃料噴霧の先端が前記点火プラグの近傍に到達した後で、当該燃料噴霧の末端が前記点火プラグの近傍を通過する前に点火を行い、かつ前記キャビティの内面に衝突して反射した当該燃料噴霧の先端が前記点火プラグの近傍に到達した後に前記点火とは別の点火を行う、
ことを特徴とする請求項1から請求項６までのいずれか１項に記載の筒内直接噴射式エンジン。
【請求項１４】
前記燃料噴射弁から噴射されて前記キャビティへ向かう燃料噴霧の末端が前記点火プラグの近傍を通過した後に、前記キャビティの内面に衝突して反射した当該燃料噴霧の先端が前記点火プラグの近傍に到達する、
ことを特徴とする請求項１３に記載の筒内直接噴射式エンジン。
【請求項１５】
前記キャビティの外側に第２のキャビティを備え、
前記燃料噴射弁は、前記キャビティへ燃料を噴射する前に前記第２のキャビティへ燃料を噴射する、
ことを特徴とする請求項１から請求項１４までのいずれか１項に記載の筒内直接噴射式エンジン。
【請求項１６】
エンジンの回転速度及び負荷に応じて前記燃料噴射弁の噴射時期及び噴射回数を設定することを特徴とする請求項１から請求項１５までのいずれか１項に記載の筒内直接噴射式エンジン。
【請求項１７】
エンジンの回転速度及び負荷に応じて前記点火プラグの点火時期及び点火回数を設定することを特徴とする請求項１から請求項１６までのいずれか１項に記載の筒内直接噴射式エンジン。
【請求項１８】
前記エンジンの冷機時に、前記点火プラグは、前記燃料噴射弁から噴射されて前記キャビティへ向かう燃料噴霧の先端がキャビティに衝突する前に点火を行う、
ことを特徴とする請求項１１に記載の筒内直接噴射式エンジン。
【発明の詳細な説明】
【技術分野】
【０００１】
本発明は、筒内直接噴射式エンジンに関するものである。
【背景技術】
【０００２】
燃料を燃焼室の内部に直接噴射する筒内直接噴射式エンジンは、成層燃焼運転と均質燃焼運転とを切り替えて運転することで燃費を向上させることができる。成層燃焼運転において混合気を確実に燃焼させるためには、成層化した混合気を点火プラグ近傍に局所的に形成することを必要とする。そこで特許文献１には、ピストンの上面に設けたキャビティに向けて燃料を噴射し、反射させることで着火部周辺に濃い混合気を形成する技術が記載されている。
【特許文献１】特開平１０−１３１７５７号公報
【発明の開示】
【発明が解決しようとする課題】
【０００３】
しかし、上記の発明では、燃料を噴射してから点火するまでの間に成層化した混合気を形成する時間を比較的長く必要とするので、機関の回転速度が速い場合には、混合気の形成が不十分となって安定した燃焼を得られない。よって、確実に成層燃焼運転を行える負荷条件の範囲が狭いという問題がある。
【０００４】
本発明は、このような従来の問題点に着目してなされたものであり、広い負荷条件範囲で安定した成層燃焼運転を行うことのできる筒内直接噴射式エンジンを提供することを目的としている。
【課題を解決するための手段】
【０００５】
本発明は以下のような解決手段によって前記課題を解決する。なお、理解を容易にするために本発明の実施形態に対応する符号を付するが、これに限定されるものではない。
【０００６】
本発明に係るエンジンは、シリンダヘッド（１）とシリンダブロック（２）とピストン（３）とによって画成される燃焼室（１４）と、燃焼室内に燃料を噴射する燃料噴射弁（４）と、燃料に点火する点火プラグ（５）と、燃料噴射弁（４）から噴射された燃料噴霧を受け止めるようにピストン冠面に設けられたキャビティ（１２）とを有している。燃料噴射弁（４）と点火プラグ（５）の配設位置、キャビティ（１２）の大きさ及び形状、燃料噴射弁（４）の燃料噴射形状及び燃料噴射時期の各種条件は、燃料噴射弁（４）から噴射されて前記キャビティ（１２）へ向かう燃料噴霧が点火プラグ近傍を通過し、かつキャビティ（１２）に衝突して反射した燃料噴霧が点火プラグ近傍へ到達するように設定する。
【発明の効果】
【０００７】
本発明によれば、燃料噴射弁から噴射されてキャビティへ向かう燃料噴霧が点火プラグを通過するときと、キャビティに衝突して反射した燃料噴霧が点火プラグを通過するときとの両方の場合において点火することができるので、エンジンの負荷及び回転速度によって決定される成層燃焼可能領域を拡大することができる。
【発明を実施するための最良の形態】
【０００８】
以下では図面等を参照して本発明の実施の形態についてさらに詳しく説明する。
【０００９】
（第１実施形態）
図１は本発明による筒内直接噴射式エンジンの第１実施形態を示す構成図であり、図１（ａ）はエンジンを吸気側から見た図であり、図１（ｂ）は図１（ａ）のエンジンを水平方向に９０度回転して見た図である。
【００１０】
エンジンは、シリンダヘッド１と、シリンダブロック２と、ピストン３と、燃料噴射弁４と、点火プラグ５とを備え、シリンダヘッド１と、シリンダブロック２と、ピストン３とによって燃焼室１４を画成している。
【００１１】
シリンダヘッド１は、燃焼室１４の上部を構成しており吸気ポート６及び排気ポート７などを有している。吸気ポート６は吸気弁８を介して燃焼室１４と連通しており、吸気弁８は吸気弁用カム９によって開閉駆動される。排気ポート７は排気弁１０を介して燃焼室１４と連通しており、排気弁１０は排気弁用カム１１によって開閉駆動される。シリンダブロック２は、燃焼室１４の側面を構成している。
【００１２】
ピストン３は、燃焼室１４の底面を構成している。ピストン３の冠面には略円筒状にキャビティ１２が形成されており、燃料噴射弁４から噴射された燃料噴霧を適切に反射させるように大きさ及び形状が決定される。
【００１３】
燃料噴射弁４は、燃焼室内の上部略中心にその先端が突出するように装着されており、燃焼室内に燃料を微粒化して所定の圧力で噴射している。本実施形態では燃料噴射弁４の先端に複数の噴孔を有する多噴孔式燃料噴射弁を使用しており燃料は略中空円錐形状に噴射される。燃料の噴射時期及び噴射量はエンジンコントロールユニット（ＥＣＵ）１３からの信号に基づいて適切に制御される。
【００１４】
点火プラグ５は、燃焼室内の上部略中心にその先端のギャップが突出し、さらに燃料噴射弁４から噴射されてキャビティ１２へ向かう燃料噴霧と接触可能な位置に配設されており、燃焼室内の混合気を点火して燃焼に導いている。点火時期はＥＣＵ１３からの信号に基づいて適切に制御される。
【００１５】
ピストン３の圧縮上死点近傍で燃料噴射弁４から略中空円錐形状に噴射された燃料噴霧は、点火プラグ５の近傍を通過してキャビティ１２へと向かう。その後、ピストン冠面に設けられたキャビティ１２に受け止められて反射することで混合気を成層化する。このときの燃料噴霧の流れとしては２通りある。１つは、燃料噴霧がキャビティ側面に衝突し、キャビティ１２の内周面にガイドされながらキャビティ１２の下方へ進行し、キャビティ１２の側面と底面との間にある曲面によって進行方向が曲げられ、キャビティ底面にガイドされながらキャビティ１２の半径方向内向きに進行し、キャビティ底面の中央で全方向からの流れが衝突し、キャビティ１２の上方へ流れる場合である。もう１つは、燃料噴霧がキャビティ底面に衝突し、上記流れとは逆向きに進行してキャビティ側面から上方へ流れる場合である。この２通りの流動パターンは、燃料噴射時のキャビティ１２の位置（ピストンの位置）によって決定される。
【００１６】
また、キャビティ１２から上方へ流れた燃料噴霧は点火プラグ近傍で成層化した混合気となり、点火されて燃焼する。この燃焼形態には各モードが選択可能に設定されており、エンジンの負荷及び回転速度に基づいてＥＣＭ１３によって制御される。
【００１７】
以下、各燃焼モードについて説明する。本実施形態のエンジンは、吸気行程中に燃料噴射を行い燃料と空気とを十分に混合した状態で燃焼して運転する均質燃焼モードと、圧縮行程中に燃料噴射を行うことで希薄な空燃比で運転する成層燃焼モードとを有している。エンジンの運転条件が高負荷及び高回転のときは、均質燃焼モードを選択して高出力を発生させ、低負荷及び低回転のときは成層燃焼モードを選択して燃料消費量を低下させる。
【００１８】
さらに成層燃焼モードの中で、スプレーガイドモードとウォールガイドモードとを選択することができる。ここで、理解を容易にするために図２及び図３を用いて各モードについて説明する。
【００１９】
図２（ａ）はスプレーガイドモードの点火時期における混合気分布を、図２（ｂ）はウォールガイドモードの点火時期における混合気分布をそれぞれ示している。スプレーガイドモードとは、図２（ａ）に示すように燃料噴射弁４から噴射された燃料噴霧の先端が点火プラグ５を通過してからキャビティ１２に衝突するまでの間に点火して燃焼させる燃焼形態である。このモードにおいて燃料噴射時期は遅角側に設定する。ウォールガイドモードとは、図２（ｂ）に示すようにキャビティ１２で反射した燃料噴霧の先端が点火プラグ５に到達した後に点火して燃焼させる燃焼形態である。このモードにおいて燃料噴射時期は進角側に設定する。
【００２０】
図３は本実施形態の各運転モードの領域を示した領域図である。図３に示すように、成層燃焼モード領域において比較的低負荷のときはスプレーガイドモードを選択して、比較的高負荷のときはウォールガイドモードを選択する。成層燃焼モード領域より高負荷及び高回転のときは均質燃焼モードを選択する。
【００２１】
各モードの選択はＥＣＵ１３によって行われており、ＥＣＵ１３では選択されたモードに要求される燃料の噴射時期及び噴射量ならびに点火時期を制御している。
【００２２】
以下、本実施形態におけるＥＣＵ１３の具体的な制御方法について図４のフローチャートに沿って説明するとともに本実施形態の作用について説明する。なお、図４に示すフローチャートは微小時間毎（例えば１０ｍｓ毎）に演算を繰り返している。
【００２３】
ステップＳ１０１では、エンジンの冷却水温度を読み込んでステップＳ１０２へ進む。
【００２４】
ステップＳ１０２では、ステップＳ１０１で読み込んだエンジンの冷却水温度が所定の低温度以下であるか否かを判定する。所定の低温度とは、エンジンの暖機完了前の冷却水の温度である。エンジンの冷却水温度が所定の低温度以下であればステップＳ１０３へ進み、所定の低温度を超えていればステップＳ１０４へ進む。
【００２５】
ステップＳ１０３では、ＥＣＵによって燃焼モードを冷機モードに設定して処理を終了する。冷機モードとは、前記燃料噴射弁４から噴射されて前記キャビティ１２へ向かう燃料噴霧の先端が前記点火プラグ５の近傍に到達した後で、かつ当該燃料噴霧の末端が前記点火プラグ５の近傍を通過する前で、かつ当該燃料噴霧の先端がキャビティ１２に衝突する前に点火する燃焼形態である。
【００２６】
エンジン冷却水温度が所定の低温度以下のときは、ピストン冠面の温度も低いのでピストン冠面に付着した燃料が未燃焼となりやすい。そこで、エンジン冷機時は燃料噴射弁４から噴射されてキャビティ１２へ向かう燃料噴霧の先端がキャビティ１２に衝突する前に点火を行うように制御する。これにより、低温のピストン冠面に衝突する燃料噴霧の量を少なくして、未燃燃料を減少させることができる。
【００２７】
ステップＳ１０４では、エンジン回転速度とエンジントルクとを読み込んでステップＳ１０５へ進む。ここで、エンジントルクはＥＣＵ１３において演算されている目標エンジントルクを用いる。また、エンジンの負荷をトルクによって判断しているが、これに代えて燃料噴射量やアクセル操作量を用いてもよい。
【００２８】
ステップＳ１０５では、ステップＳ１０４によって読み込まれたエンジンの回転速度及びトルクに基づいて、図３に示す領域図を参照して成層燃焼運転を実施することができる領域であるか否かを判定する。成層燃焼運転可能な領域であればステップＳ１０６へ進み、成層燃焼運転不可能な領域であればステップＳ１０９へ進む。
【００２９】
ステップＳ１０６では、ステップＳ１０４で読み込んだエンジントルクに基づいて図３に示す領域図を参照してスプレーガイドモード可能な領域か否かを判定する。スプレーガイドモード可能な領域であればステップＳ１０７へ進み、スプレーガイドモード不可能な領域であればステップＳ１０８へ進む。
【００３０】
ステップＳ１０７では、ＥＣＵ１３によって燃焼モードをスプレーガイドモードに設定して処理を終了する。本実施形態の点火プラグ５の先端は、燃料噴射弁４から噴射されてキャビティ１２へ向かう燃料噴霧と接触可能な位置に配設されているので、燃料を噴射してから点火するまでの間に燃料噴霧があまり拡散されず、確実に成層化した状態で点火される。よって、筒内全体での空燃比は非常に希薄な状態で運転されていることになり、燃費が向上する。
【００３１】
ステップＳ１０８では、ＥＣＵによって燃焼モードをウォールガイドモードに設定して処理を終了する。ウォールガイドモードでは、燃料噴射を開始してから点火するまでの間に燃料噴霧がよく拡散されており、また燃料噴射時期を進角側に設定しているので、燃料噴射量の多い高負荷時に局所的な過濃混合気を防ぐことができる。
【００３２】
ステップＳ１０９では、ＥＣＵによって燃焼モードを均質燃焼モードに設定して処理を終了する。均質燃焼モードでは、吸気行程中に燃料噴射を行い燃料と空気とを十分に混合した状態で燃焼するので高出力を発生することができる。
【００３３】
本実施形態によれば、キャビティ１２の円筒形状をシリンダ側に延長して形成される領域、言い換えればキャビティ１２の底面を底面に垂直に上方へ延長して形成される領域内又はその近傍に点火プラグ５を配設したので、キャビティ１２で反射した燃料噴霧は確実に点火プラグ近傍へと到達する。これにより、燃料噴霧をキャビティ１２に受け止めることが可能な燃料噴射時期を拡張することが可能になる。よって、遅角側で燃料噴射を行うスプレーガイドモードにおいては点火から火炎が拡がるまでの間に燃料噴霧はキャビティ１２に受け止められ、進角側で燃料噴射を行うウォールガイドモードにおいてはキャビティ１２で受け止められた燃料が効率良く点火プラグ付近まで流れていく。これにより、混合気の過剰な拡散を抑制することができるので、燃料を急速に燃焼させて熱効率を向上させることができ、また未燃燃料の排出量を低減させることができる。
【００３４】
また、燃料噴射弁４による燃料噴霧が中空円錐形状を形成するので、燃料噴霧の中空円錐形状の内部に空気を含み、燃料噴霧に直接点火するスプレーガイドモードにおいて点火プラグ付近に燃料が集中しにくくなり、過濃燃焼によるスモークの発生を抑制することができる。
【００３５】
さらに、エンジンが低温のときには燃焼モードを冷機モードに設定して、ピストン冠面に衝突する燃料噴霧の量を減少させるように制御することで、ピストン冠面に付着して未燃となる燃料を減少させることができる。
【００３６】
（第２実施形態）
図５は、本発明による筒内直接噴射式エンジンの第２実施形態を示す構成図であり、図５（ａ）はエンジンを吸気側から見た図であり、図５（ｂ）は図５（ａ）のエンジンを水平方向に９０度回転して見た図である。なお以下に示す各実施形態では前述した実施形態と同様の機能を果たす部分には同一の符号を付して重複する説明を適宜省略する。
【００３７】
本実施形態では、キャビティ１２の円筒形状をシリンダ側に延長して形成される領域、すなわちキャビティ１２の底面を底面に垂直に上方へ延長して形成される領域の外周部近傍に点火プラグ５が配設される。
【００３８】
燃料噴射時期を決定する方法を図６及び図７を用いて詳しく説明する。図６は点火プラグ付近の混合気濃度の変化を点火プラグ５とキャビティ１２との距離別に示した比較図である。図７（ａ）はキャビティ１２から点火プラグ５までの距離と希薄期間との関係を示した関係図であり、図７（ｂ）はキャビティ１２から点火プラグ５までの距離と着火性・スモーク発生量との関係を示した関係図である。
【００３９】
ここで、点火プラグ５は燃焼室上面に配設され、キャビティ１２はピストン３の冠面に設けられるので、点火プラグ５とキャビティ１２との距離はピストン３の位置によって変化する。よって、図７（ａ）、（ｂ）の横軸は燃料噴射時期と読み替えることができて、その場合、横軸は右へ行くほど進角であり、左へ行くほど遅角である。
【００４０】
図６に示すように、点火プラグ５とキャビティ１２との間の距離を小さくするほど、燃料噴射弁４から噴射されてキャビティ１２へ向かう燃料噴霧が点火プラグ５を通過した後の点火プラグ付近の空燃比は希薄になりにくくなる。
【００４１】
また図７（ａ）に示すように、燃料噴射弁４から噴射されてキャビティ１２へ向かう燃料噴霧の末端が点火プラグ５を通過してから、キャビティ１２で反射して再び点火プラグ５に戻ってくるまでの時間は、点火プラグ５とキャビティ１２との距離を小さくするほど短くなる。よって、点火プラグ５付近が希薄になる期間も、点火プラグ５とキャビティ１２との距離を小さくするほど短くなる。点火プラグ付近の空燃比が希薄になる期間が短くなると点火プラグ付近に可燃混合気が存在する期間が長くなるので着火性は向上する。点火プラグ５とキャビティ１２との距離がＬ以下では、点火プラグ付近の空燃費が希薄になる期間が無くなり常に可燃混合気が存在することになる。
【００４２】
ここで、図７（ａ）のＡの範囲では、燃料噴射弁４から噴射されてキャビティ１２へ向かう燃料噴霧の末端が点火プラグ５を通過してから、キャビティ１２で反射して戻ってくる燃料噴霧の先端が点火プラグ５に到達する。Ｂの範囲では、燃料噴射弁４から噴射されてキャビティ１２へ向かう燃料噴霧の末端が点火プラグ５を通過する前に、キャビティ１２で反射して戻ってくる燃料噴霧の先端が点火プラグ５に到達する。よって、Ｂの範囲では常に可燃混合気が点火プラグ付近に存在することになる。Ｃでは、燃料噴射弁４から噴射されてキャビティ１２へ向かう燃料噴霧の末端が点火プラグ５を通過する時に、キャビティ１２で反射して戻ってくる燃料噴霧の先端が点火プラグ５に到達する。
【００４３】
前記Ｂの範囲になるように点火プラグ５とキャビティ１２との間の距離をＬよりさらに小さくすると、燃料噴射弁４から噴射されてキャビティ１２へ向かう燃料噴霧とキャビティ１２で反射した燃料噴霧とが点火プラグ付近で重なり、点火プラグ付近の混合気は濃くなるので、図７（ｂ）に示すようにスモークの発生量が多くなる。よって、この着火性とスモークの発生量とを勘案して点火プラグ５とキャビティ１２との距離、すなわち燃料噴射時期を決定する。
【００４４】
燃料噴射時期はエンジンの運転状態によって異なる。高回転のときは、点火時期を進角側に設定する必要があるので燃料噴射時期も進角側に設定することとなる。このとき、図７（ａ）に示すように燃料噴射時の点火プラグ５とキャビティ１２との間の距離が長くなるので、燃料噴霧が点火プラグ付近を通過した後に点火プラグ付近が希薄になる期間は長くなる。また高負荷のときは、燃料噴射量を多く必要とするので燃料を噴射している時間が長くなる。よって、燃料噴霧が点火プラグ付近を通過した後に点火プラグ付近が希薄になる期間は短くなる。
【００４５】
本実施形態では前記した傾向に基づいて、成層燃焼モードの領域内で複合モードと、２度点火モードと、ウォールガイドモードとを選択することができる。ここで、理解を容易にするために図８〜図１２を用いて各モードについて説明する。なお、ウォールガイドモードについては前記した第１実施形態と同じであるので説明を省略する。
【００４６】
図８は複合モードにおける点火時期の混合気分布を示している。図９は複合モードにおける噴射時期及び点火時期に対する燃焼安定領域を示している。
【００４７】
複合モードとは、燃料噴射弁４から噴射されてキャビティ１２へ向かう燃料噴霧とキャビティ１２で反射した燃料噴霧との少なくとも一方が点火プラグ付近に存在するときに点火して燃焼する燃焼形態である。図８では、燃料噴射弁４から噴射されてキャビティ１２へ向かう燃料噴霧とキャビティ１２で反射した燃料噴霧とが点火プラグ付近に併存している状態を示している。複合モードでは図９に示すように、燃料噴射弁４から噴射されてキャビティ１２へ向かう燃料噴霧に点火するときの点火可能範囲と、キャビティ１２で反射した燃料噴霧に点火するときの点火可能範囲との少なくとも一方の範囲内であれば点火することができる。例えば、図９で噴射時期を一定にすると前記した二つの範囲のうち一方の範囲内でしか点火できない場合に比べて、より進角側又は遅角側においても点火することができるようになる。よって、点火可能時期を拡大して安定した燃焼を行うことができる。
【００４８】
図１０（ａ）は２度点火モードにおける１度目の点火時期の混合気分布を示している。図１０（ｂ）は２度点火モードにおける２度目の点火時期の混合気分布を示している。図１１は２度点火モードにおける噴射時期及び点火時期に対する燃焼安定領域を示している。
【００４９】
２度点火モードとは、図１０（ａ）に示すように燃料噴射弁４から噴射されてキャビティ１２へ向かう燃料噴霧に対して１度目の点火を行い、図１０（ｂ）に示すようにキャビティ１２で反射した燃料噴霧に対して２度目の点火を行う燃焼形態である。２度点火モードでは図１１に示すように、燃料噴射弁４から噴射されてキャビティ１２へ向かう燃料噴霧の点火可能範囲内で１度目の点火を行い、キャビティ１２で反射した燃料噴霧の点火可能範囲内で２度目の点火を行う。よって、いずれか一方で失火しても燃焼させることができるので、着火性を向上させることができる。ここで、燃料噴射量が多く１度目及び２度目の点火可能範囲が重なる状況において、１度目と２度目の点火時期が時間的に逆転しても作用に何ら問題はない。
【００５０】
図１２は本実施形態の各運転モードの領域を示した領域図である。図１２に示すように、成層燃焼モード領域において低回転のときは複合モードを選択し、高回転及び低負荷のときは２度点火モードを選択し、高回転及び高負荷のきはウォールガイドモードを選択する。成層燃焼モード領域より高負荷及び高回転のときは均質燃焼モードを選択する。
【００５１】
各モードの選択はＥＣＵ１３によって行われており、ＥＣＵ１３では選択されたモードに要求される燃料の噴射時期及び噴射量ならびに点火時期を制御している。
【００５２】
以下、本実施形態におけるＥＣＵ１３の具体的な制御方法について図１３のフローチャートに沿って説明するとともに本実施形態の作用について説明する。なお、図４に示すフローチャートは微小時間毎（例えば１０ｍｓ毎）に演算を繰り返している。
【００５３】
ステップＳ２０１では、エンジンの冷却水温度を読み込んでステップＳ２０２へ進む。
【００５４】
ステップＳ２０２では、ステップＳ２０１で読み込んだエンジンの冷却水温度が所定の低温度以下であるか否かを判定する。所定の低温度以下であればステップＳ２０３へ進み、所定の低温度を超えていればステップＳ２０４へ進む。
【００５５】
ステップＳ２０３では、ＥＣＵ１３によって燃焼モードを冷機モードに設定して処理を終了する。エンジン冷機時に低温のピストン冠面に接触する燃料噴霧の量を減少させることで未燃燃料の発生量を減らすことができる。
【００５６】
ステップＳ２０４では、エンジン回転速度とエンジントルクとを読み込んでステップＳ２０５へ進む。ここで、エンジントルクはＥＣＵ１３において演算されている目標エンジントルクを用いる。また、エンジンの負荷をトルクによって判断しているが、これに代えて燃料噴射量やアクセル操作量を用いてもよい。
【００５７】
ステップＳ２０５では、ステップＳ２０４によって読み込まれたエンジンの回転速度及びトルクに基づいて、図３に示す領域図を参照して成層燃焼運転を実施することができる領域であるか否かを判定する。成層燃焼運転可能な領域であればステップＳ２０６へ進み、成層燃焼運転不可能な領域であればステップＳ２１１へ進む。
【００５８】
ステップＳ２０６では、ステップＳ２０４で読み込んだエンジンの回転速度とトルクとに基づいて複合モード可能な領域か否かを判定する。複合モード可能な領域であればステップＳ２０７へ進み、複合モード不可能な領域であればステップＳ２０８へ進む。
【００５９】
ステップＳ２０７では、ＥＣＵ１３によって燃焼モードを複合モードに設定して処理を終了する。複合モードでは、ある噴射時期に対する点火可能時期の範囲を拡大して、より進角側及び遅角側でも点火することができるので、混合気を確実に点火して燃焼させることができる。
【００６０】
ステップＳ２０８では、ステップＳ２０４で読み込んだエンジンの回転速度とトルクとに基づいて２度点火モード可能な領域か否かを判定する。２度点火モード可能な領域であればステップＳ２０９へ進み、２度点火モード不可能な領域であればステップＳ２１０へ進む。
【００６１】
ステップＳ２０９では、ＥＣＵ１３によって燃焼モードを２度点火モードに設定して処理を終了する。低負荷及び高回転時には、燃料噴射量が少なくかつ燃料噴射時期が進角側に設定されるので混合気に点火できる範囲が小さくなる。そこで、２度点火モードに設定して燃料噴射弁４から噴射されてキャビティ１２へ向かう燃料噴霧に対して１度目の点火を行い、キャビティ１２で反射した燃料噴霧に対して２度目の点火を行うことで点火可能範囲が小さくても着火性を向上させることができる。
【００６２】
ステップＳ２１０では、ＥＣＵによって燃焼モードをウォールガイドモードに設定して処理を終了する。エンジン高負荷時には燃料噴射量が多いので、燃料噴霧をよく混合してから点火することで過濃燃焼によるスモークの発生を抑制することができる。
【００６３】
ステップＳ２１１では、ＥＣＵによって燃焼モードを均質燃焼モードに設定して処理を終了する。高負荷及び高回転時は、吸気行程中に燃料噴射を行い燃料と空気とを十分に混合した状態で燃焼することで高出力を発生することができる。
【００６４】
本実施形態によれば、点火プラグ５をキャビティ１２の底面を底面に垂直に上方へ延長して形成される領域の外周部近傍に配設したので、キャビティ１２に衝突して反射した燃料噴霧の先端が迅速に点火プラグ５に到達する。これにより、燃料を噴射してから点火できるまでの期間を短くすることでき、特に、ピストン速度が速い高回転のときにより安定した燃焼が可能となる。
【００６５】
低回転のときは、燃料噴射弁４から噴射されてキャビティ１２へ向かう燃料噴霧とキャビティ１２で反射した燃料噴霧との少なくとも一方が点火プラグ付近に存在するときに点火して燃焼することができる。すなわち、噴射時期を一定にしたとき、燃料噴射弁４から噴射されてキャビティ１２へ向かう燃料噴霧とキャビティ１２で反射した燃料噴霧のうち一方の燃料噴霧にしか点火できない場合に比べて、より進角側又は遅角側においても点火することができるようになる。よって、点火可能時期を拡大して安定した燃焼を行うことができる。
【００６６】
高回転及び低負荷のときは、燃料噴射量が少ないうえに燃料噴射時期を進角にしなければならないので燃料噴射弁４から噴射されてキャビティ１２へ向かう燃料噴霧の点火可能範囲内で１度目の点火を行い、キャビティ１２で反射した燃料噴霧の点火可能範囲内で２度目の点火を行う。よって、いずれか一方で失火しても燃焼させることができるので、着火性を向上させることができる。
【００６７】
高回転及び高負荷のときは燃料噴射量が多いので、燃料噴霧の先端がキャビティ１２で反射して点火プラグ近傍に到達した後に点火を行うことにより、燃料噴霧を拡散させるための期間が長くなり、過濃燃焼によるスモークの発生量を抑制することができる。
【００６８】
（第３実施形態）
図１４は、本発明による筒内直接噴射式エンジンの第３実施形態を示す構成図であり、図１４（ａ）はエンジンを吸気側から見た図であり、図１４（ｂ）は図１４（ａ）のエンジンを水平方向に９０度回転して見た図である。なお以下に示す各実施形態では前述した実施形態と同様の機能を果たす部分には同一の符号を付して重複する説明を適宜省略する。
【００６９】
本実施形態では、第２実施形態のキャビティ（第１キャビティ）１２の外周部を取り囲むようにさらにキャビティ（第２キャビティ）１５を設けている。
【００７０】
また、成層燃焼モードの領域内で複合モードと、２度点火モードと、ウォールガイドモードと２度噴射＋複合モードと、２度噴射＋ウォールガイドモードとを選択することができる。ここで、理解を容易にするために図１５及び図１６を用いて各モードについて説明する。なお、２度噴射＋複合モードと、２度噴射＋ウォールガイドモードとを総称して２度噴射モードと呼ぶ。また、複合モードと、２度点火モードと、ウォールガイドモードとについては第２実施形態と同じであるので説明を省略する。
【００７１】
図１５は２度噴射モードにおける点火時期の混合気分布を示している。
【００７２】
２度噴射モードとは、燃料噴射弁４からの燃料噴射を２度に分けて行い、１度目の燃料噴霧を第２キャビティ１５で反射させ、２度目の燃料噴霧を第１キャビティ１２で反射させて混合気を燃焼させる燃焼形態である。２度噴射モード＋複合モードは、２度目の燃料噴霧に対して第２実施形態で説明した複合モードを適用する。すなわち、燃料噴射弁４から噴射されて第１キャビティ１２へ向かう２度目の燃料噴霧と第１キャビティ１２で反射した燃料噴霧との少なくとも一方が点火プラグ付近に存在するときに点火して燃焼させる。２度噴射＋ウォールガイドモードは、２度目の燃料噴霧に対して第１実施形態で説明したウォールガイドモードを適用する。すなわち、第１キャビティ１２で反射した２度目の燃料噴霧の先端が点火プラグ５に到達した後に点火して燃焼させる。
【００７３】
燃料噴射弁４から進角側で噴射された燃料噴霧ほどピストン冠面のより外周側で衝突する。よって、第１キャビティ１２より外側に第２キャビティ１５を設けることで、第２実施形態における燃料噴射時期よりも進角側での燃料噴霧を受け止めて混合気を保持し、より多くの燃料を成層化させることができる。これにより、第２実施形態における成層燃焼モードの領域を主に高負荷側に拡大させることができる。
【００７４】
図１６は本実施形態の各運転モードの領域を示した領域図である。図１２に示すように、成層燃焼モード領域において低回転のときは複合モードを選択する。複合モードの中でも高負荷側においては燃料噴射量が多くなるので２度噴射モード＋複合モードを選択する。高回転及び低負荷のときは２度点火モードを選択する。高回転及び高負荷のきはウォールガイドモードを選択する。ウォールガイドモードの中でも高負荷側においては燃料噴射量が多くなるので２度噴射＋ウォールガイドモードを選択する。成層燃焼モード領域より高負荷及び高回転のときは均質燃焼モードを選択する。  
【００７５】
各モードの選択はＥＣＵ１３によって行われており、ＥＣＵ１３では選択されたモードに要求される燃料の噴射時期及び噴射量ならびに点火時期を制御している。
【００７６】
以下、本実施形態におけるＥＣＵ１３の具体的な制御方法について図１７のフローチャートに沿って説明するとともに本実施形態の作用について説明する。なお、図４に示すフローチャートは微小時間毎（例えば１０ｍｓ毎）に演算を繰り返している。
【００７７】
ステップＳ３０１では、エンジンの冷却水温度を読み込んでステップＳ３０２へ進む。
【００７８】
ステップＳ３０２では、ステップＳ３０１で読み込んだエンジンの冷却水温度が所定の低温度以下であるか否かを判定する。所定の低温度以下であればステップＳ３０３へ進み、所定の低温度を超えていればステップＳ３０４へ進む。
【００７９】
ステップＳ３０３では、ＥＣＵ１３によって燃焼モードを冷機モードに設定して処理を終了する。エンジン冷機時に低温のピストン冠面に接触する燃料噴霧の量を減少させることで未燃燃料の発生量を減らすことができる。
【００８０】
ステップＳ３０４では、エンジン回転速度とエンジントルクとを読み込んでステップＳ３０５へ進む。ここで、エンジントルクはＥＣＵ１３において演算されている目標エンジントルクを用いる。また、エンジンの負荷をトルクによって判断しているが、これに代えて燃料噴射量やアクセル操作量を用いてもよい。
【００８１】
ステップＳ３０５では、ステップＳ３０４によって読み込まれたエンジンの回転速度及びトルクに基づいて、成層燃焼運転を実施することができる領域であるか否かを判定する。成層燃焼運転可能な領域であればステップＳ３０６へ進み、成層燃焼運転不可能な領域であればステップＳ３１５へ進む。
【００８２】
ステップＳ３０６では、ステップＳ３０４で読み込んだエンジンの回転速度とトルクとに基づいて複合モード可能な領域か否かを判定する。複合モード可能な領域であればステップＳ３０７へ進み、複合モード不可能な領域であればステップＳ３１０へ進む。
【００８３】
ステップＳ３０７では、ステップＳ３０４で読み込んだエンジンの回転速度とトルクとに基づいて２度噴射を必要とする領域か否かを判定する。２度噴射を必要とする領域であればステップＳ３０８へ進み、２度噴射を必要としない領域であればステップＳ３０９へ進む。
【００８４】
ステップＳ３０８では、ＥＣＵ１３によって燃焼モードを複合モードに設定して処理を終了する。複合モードでは、点火可能時期の範囲を拡大して、より進角側及び遅角側でも点火することができるので、混合気を確実に点火して燃焼させることができる。
【００８５】
ステップＳ３０９では、ＥＣＵ１３によって燃焼モードを２度噴射＋複合モードに設定して処理を終了する。２度噴射＋複合モードでは、２度に分けて噴射された燃料噴霧を２つのキャビティ１２、１５で確実に受け止めて成層化した混合気を形成するので、多くの燃料を必要とする高負荷時においても成層燃焼運転を行うことができる。また、２度目に噴射された燃料噴霧については、第２実施形態の複合モードと同様に第１キャビティ１２へ向かう燃料噴霧と第１キャビティ１２で反射した燃料噴霧との少なくとも一方が点火プラグ付近に存在するときに点火して燃焼するので、混合気を確実に点火して燃焼させることができる。
【００８６】
ステップＳ３１０では、ステップＳ３０４で読み込んだエンジンの回転速度とトルクとに基づいて２度点火モード可能な領域か否かを判定する。２度点火モード可能な領域であればステップＳ３１１へ進み、２度点火モード不可能な領域であればステップＳ３１２へ進む。
【００８７】
ステップＳ３１１では、ＥＣＵ１３によって燃焼モードを２度点火モードに設定して処理を終了する。低負荷及び高回転時には、燃料噴射量が少なくかつ燃料噴射時期が進角側に設定されるので点火可能範囲が小さくなるが、２度点火を行うことで点火可能範囲が小さくても着火性を向上させることができる。
【００８８】
ステップＳ３１２では、ステップＳ３０４で読み込んだエンジンの回転速度とトルクとに基づいて２度噴射を必要とする領域か否かを判定する。２度噴射を必要とする領域であればステップＳ３１３へ進み、２度噴射を必要としない領域であればステップＳ３１４へ進む。
【００８９】
ステップＳ３１３では、ＥＣＵ１３によって燃焼モードをウォールガイドモードに設定して処理を終了する。燃料噴射量の多いエンジン高負荷時に、燃料噴霧をよく混合してから点火することで過濃燃焼によるスモークの発生を抑制することができる。
【００９０】
ステップＳ３１４では、ＥＣＵ１３によって燃焼モードを２度噴射＋ウォールガイドモードモードに設定して処理を終了する。２度噴射＋ウォールガイドモードでは、２度に分けて噴射された燃料噴霧を２つのキャビティ１２、１５で確実に受け止めて成層化した混合気を形成するので、多くの燃料を必要とする高負荷時においても成層燃焼運転を行うことができる。また、２度目に噴射された燃料噴霧は、第２実施形態のウォールガイドモードモードと同様に第１キャビティ１２で反射して点火プラグ近傍へと到達するので、燃料噴射量の多い高負荷時に局所的な過濃混合気を防ぐことができる。
【００９１】
ステップＳ３１５では、ＥＣＵ１３によって燃焼モードを均質燃焼モードに設定して処理を終了する。高負荷及び高回転時は、吸気行程中に燃料噴射を行い燃料と空気とを十分に混合した状態で点火して燃焼させることで高出力を発生することができる。
【００９２】
本実施形態によれば、燃料を２度に分けて噴射することにより噴射可能な燃料の量を増加させることができるので、幅広い回転速度域において第２実施形態に比べてより高負荷側でも確実に混合気を成層化して燃焼させることができる。
【００９３】
以上説明した実施形態に限定されることなく、その技術的思想の範囲内において種々の変形や変更が可能であり、それらも本発明と均等であることは明白である。
【００９４】
例えば、第２実施形態において１度目の点火と２度目の点火とは運転条件に応じて点火の順番が逆転してもよい。
【００９５】
また、第３実施形態において第１キャビティ１２の外周部を取り囲むように第２キャビティ１５を設けているが、第１キャビティ１２の外側にあればいかなる形態でもよい。
【００９６】
さらに、第３実施形態において第２キャビティ１５を追加して燃料噴射を２度に分けて行っているが、キャビティ１２、１５を２つ以上設けて燃料噴射も２回以上の多段噴射にしてもよい。
【図面の簡単な説明】
【００９７】
【図１】第１実施形態の構成図である。
【図２】第１実施形態の各モードにおける点火時期の混合気の分布図である。
【図３】第１実施形態の各モードの領域図である。
【図４】第１実施形態の制御フローである。
【図５】第２実施形態の構成図である。
【図６】点火プラグ付近の混合気濃度の変化図である。
【図７】キャビティから点火プラグまでの距離と希薄期間及び着火性・スモーク発生量との関係図である。
【図８】第２実施形態の複合モードにおける点火時期の混合気の分布図である。
【図９】第２実施形態の複合モードにおける噴射時期・点火時期に対する燃焼安定領域図である。
【図１０】第２実施形態の２度点火モードにおける点火時期の混合気の分布図である。
【図１１】第２実施形態の２度点火モードにおける噴射時期・点火時期に対する燃焼安定領域図である。
【図１２】第２実施形態の各モードの領域図である。
【図１３】第２実施形態の制御フローである。
【図１４】第３実施形態の構成図である。
【図１５】第３実施形態の２度噴射モードにおける点火時期の混合気の分布図である。
【図１６】第３実施形態の各モードの領域図である。
【図１７】第３実施形態の制御フローである。
【符号の説明】
【００９８】
１  シリンダヘッド
２  シリンダブロック
３  ピストン
４  燃料噴射弁
５  点火プラグ
６  吸気ポート
７  排気ポート
８  吸気弁
９  吸気弁用カム
１０  排気弁
１１  排気弁用カム
１２  キャビティ（第１キャビティ）
１３  エンジンコントロールユニット（ＥＣＵ）
１４  燃焼室
１５  キャビティ（第２キャビティ）
【図１】
2005256791.tif 000003
【図２】
2005256791.tif 000004
【図３】
2005256791.tif 000005
【図４】
2005256791.tif 000006
【図５】
2005256791.tif 000007
【図６】
2005256791.tif 000008
【図７】
2005256791.tif 000009
【図８】
2005256791.tif 000010
【図９】
2005256791.tif 000011
【図１０】
2005256791.tif 000012
【図１１】
2005256791.tif 000013
【図１２】
2005256791.tif 000014
【図１３】
2005256791.tif 000015
【図１４】
2005256791.tif 000016
【図１５】
2005256791.tif 000017
【図１６】
2005256791.tif 000018
【図１７】
2005256791.tif 000019